(57)【要約】【課題】雪が天面板用開口部から侵入することや、雪が天面板用開口部を覆ってしまうことを防止でき、屋内からの排気を促すことができるとともに屋根用板金役物の水密性能の低下を防止できる屋根用板金役物に用いる積雪用換気カバーを提供すること。【解決手段】本発明の屋根用板金役物２０に用いる積雪用換気カバー１０は、天面板用開口部２２の上方を覆うカバー天面板材１１と、カバー天面板材１１の前端から下方へ垂下させたカバー前面板材１２と、カバー天面板材１１の後端から後方へ延出させたカバー後面板材１３とを有し、カバー前面板材１２の後方にカバー第１開口部１２ｘが形成され、カバー後面板材１３にはカバー第２開口部１３ｘを設け、カバー第１開口部１２ｘ及びカバー第２開口部１３ｘは、カバー天面板材１１と天面板材２１との間に形成される通風路Ｘと連通することを特徴とする。【選択図】        図１
2019044345.tif 000002
【特許請求の範囲】
【請求項１】
屋根用板金役物が、
建造物の屋根面に配置される天面板材と、
前記天面板材の下面に取り付ける止水箱と
を有し、
前記天面板材には、切り起こしにより天面板用開口部を形成し、
前記止水箱が、少なくとも前記天面板用開口部の下方に配置され、
前記屋根用板金役物に用いる積雪用換気カバーであって、
前記天面板用開口部の上方を覆うカバー天面板材と、
前記カバー天面板材の前端から下方へ垂下させたカバー前面板材と、
前記カバー天面板材の後端から後方へ延出させたカバー後面板材と
を有し、
前記カバー前面板材の後方にカバー第１開口部が形成され、
前記カバー後面板材にはカバー第２開口部を設け、
前記カバー第１開口部及び前記カバー第２開口部は、前記カバー天面板材と前記天面板材との間に形成される通風路と連通する
ことを特徴とする屋根用板金役物に用いる積雪用換気カバー。
【請求項２】
前記屋根用板金役物が、
前記天面板材及び前記止水箱を前記屋根面に固定する固定ビスを有し、
前記固定ビスは、前記止水箱内に配置され、
前記固定ビスを、前記天面板材の上面から前記止水箱を貫通して前記建造物に挿入し、
前記固定ビスのビス頭部は前記天面板材の前記上面に突出しており、
前記カバー天面板材の内面にカバー位置決め材を設け、
前記カバー位置決め材を前記ビス頭部に当接させることで施工時に前記屋根用板金役物への位置決めを行う
ことを特徴とする請求項１に記載の屋根用板金役物に用いる積雪用換気カバー。
【請求項３】
前記カバー位置決め材が、
前記カバー天面板材の前記内面から垂下させた一対の脚材と、
一対の前記脚材を繋ぎ前記天面板材に当接する当接材と、
前記当接材に形成した位置決め開口と
を有し、
前記位置決め開口に前記ビス頭部を当接させて前記屋根用板金役物への位置決めを行う
ことを特徴とする請求項２に記載の屋根用板金役物に用いる積雪用換気カバー。
【請求項４】
前記カバー天面板材の両側端から下方へ垂下させたカバー側面板材と、
前記カバー側面板材の下端から側方へ延出させたカバー側方取付板材と、
前記カバー後面板材の後端から後方へ延出させたカバー後方取付板材と
を有し、
前記カバー側方取付板材及び前記カバー後方取付板材にはカバー取付ビス孔が形成され、
前記カバー取付ビス孔は、前記止水箱内に配置される
ことを特徴とする請求項１から請求項３のいずれか１項に記載の屋根用板金役物に用いる積雪用換気カバー。
【請求項５】
前記カバー後面板材の両側端の下方にカバー第３開口部を形成した
ことを特徴とする請求項１から請求項４のいずれか１項に記載の屋根用板金役物に用いる積雪用換気カバー。
【請求項６】
前記カバー後面板材が、前記カバー天面板材に対して９０度未満の傾斜角を有する
ことを特徴とする請求項１から請求項５のいずれか１項に記載の屋根用板金役物に用いる積雪用換気カバー。
【発明の詳細な説明】
【技術分野】
【０００１】
本発明は、建造物の屋根面に配置される屋根用板金役物に用いる積雪用換気カバーに関する。
【背景技術】
【０００２】
特許文献１は、建造物の屋根面に配置される天面板材と、建造物の壁面に配置される垂下板材と、垂下板材と平行に配置されて破風下地に固定される破風下地固定板材と、垂下板材と破風下地固定板材とを連接する連接板材とを備え、連接板材の下方で、垂下板材と破風下地固定板材との間に破風板のみこみ部を形成し、破風板のみこみ部に破風板の上端部を配置する屋根用板金役物を提案している。
特許文献１による屋根用板金役物は、屋根頂部の異なる勾配に対応でき、調整笠木を用いることなく施工ができる。
【先行技術文献】
【特許文献】
【０００３】
【特許文献１】特開２０１０−２４８８１９号公報
【特許文献２】特開２０１１−１２７３５９号公報
【発明の概要】
【発明が解決しようとする課題】
【０００４】
特許文献１による屋根用板金役物は施工性に優れているが、積雪地域では天面板材に形成した天面板用開口部から雪が侵入し、又は雪が天面板用開口部を覆ってしまうことがある。
このような天面板用開口部からの雪の侵入や、雪が天面板用開口部を覆うことを防止するには、天面板用開口部を覆うカバーを設けることが考えられるが、カバーの覆い方によっては屋内からの排気性能が低下したり、水密性能が低下するという課題を生じる。
【０００５】
そこで本発明は、雪が天面板用開口部から侵入することや、雪が天面板用開口部を覆ってしまうことを防止でき、屋内からの排気を促すことができるとともに屋根用板金役物の水密性能の低下を防止できる屋根用板金役物に用いる積雪用換気カバーを提供することを目的とする。
【課題を解決するための手段】
【０００６】
請求項１記載の本発明の屋根用板金役物２０に用いる積雪用換気カバー１０は、屋根用板金役物２０が、建造物３０の屋根面３１に配置される天面板材２１と、前記天面板材２１の下面に取り付ける止水箱２５とを有し、前記天面板材２１には、切り起こしにより天面板用開口部２２を形成し、前記止水箱２５が、少なくとも前記天面板用開口部２２の下方に配置され、前記屋根用板金役物２０に用いる積雪用換気カバー１０であって、前記天面板用開口部２２の上方を覆うカバー天面板材１１と、前記カバー天面板材１１の前端から下方へ垂下させたカバー前面板材１２と、前記カバー天面板材１１の後端から後方へ延出させたカバー後面板材１３とを有し、前記カバー前面板材１２の後方にカバー第１開口部１２ｘが形成され、前記カバー後面板材１３にはカバー第２開口部１３ｘを設け、前記カバー第１開口部１２ｘ及び前記カバー第２開口部１３ｘは、前記カバー天面板材１１と前記天面板材２１との間に形成される通風路Ｘと連通することを特徴とする。
請求項２記載の本発明は、請求項１に記載の屋根用板金役物２０において、前記屋根用板金役物２０が、前記天面板材２１及び前記止水箱２５を前記屋根面３１に固定する固定ビス２３を有し、前記固定ビス２３は、前記止水箱２５内に配置され、前記固定ビス２３を、前記天面板材２１の上面から前記止水箱２５を貫通して前記建造物３０に挿入し、前記固定ビス２３のビス頭部２３ａは前記天面板材２１の前記上面に突出しており、前記カバー天面板材１１の内面にカバー位置決め材１７を設け、前記カバー位置決め材１７を前記ビス頭部２３ａに当接させることで施工時に前記屋根用板金役物２０への位置決めを行うことを特徴とする。
請求項３記載の本発明は、請求項２に記載の屋根用板金役物２０に用いる積雪用換気カバー１０において、前記カバー位置決め材１７が、前記カバー天面板材１１の前記内面から垂下させた一対の脚材１７ａと、一対の前記脚材１７ａを繋ぎ前記天面板材２１に当接する当接材１７ｂと、前記当接材１７ｂに形成した位置決め開口１７ｃとを有し、前記位置決め開口１７ｃに前記ビス頭部２３ａを当接させて前記屋根用板金役物２０への位置決めを行うことを特徴とする。
請求項４記載の本発明は、請求項１から請求項３のいずれか１項に記載の屋根用板金役物２０に用いる積雪用換気カバー１０において、前記カバー天面板材１１の両側端から下方へ垂下させたカバー側面板材１４と、前記カバー側面板材１４の下端から側方へ延出させたカバー側方取付板材１５と、前記カバー後面板材１３の後端から後方へ延出させたカバー後方取付板材１６とを有し、前記カバー側方取付板材１５及び前記カバー後方取付板材１６にはカバー取付ビス孔１５ａ、１６ａが形成され、前記カバー取付ビス孔１５ａ、１６ａは、前記止水箱２５内に配置されることを特徴とする。
請求項５記載の本発明は、請求項１から請求項４のいずれか１項に記載の屋根用板金役物２０に用いる積雪用換気カバー１０において、前記カバー後面板材１３の両側端の下方にカバー第３開口部１３ｙを形成したことを特徴とする。
請求項６記載の本発明は、請求項１から請求項５のいずれか１項に記載の屋根用板金役物２０に用いる積雪用換気カバー１０において、前記カバー後面板材１３が、前記カバー天面板材１１に対して９０度未満の傾斜角αを有することを特徴とする。
【発明の効果】
【０００７】
本発明の屋根用板金役物に用いる積雪用換気カバーによれば、カバー天面板材によって天面板用開口部を覆うことで雪が天面板用開口部から侵入することや、雪が天面板用開口部を覆ってしまうことを防止でき、天面板用開口部の上方に空気の流れを発生させることができるので、空気の流れによって発生する負圧によって屋内からの排気を促すことができるとともに屋根用板金役物の水密性能の低下を防止できる。
【図面の簡単な説明】
【０００８】
【図１】本発明の一実施例による屋根用板金役物に用いる積雪用換気カバーの写真
【図２】本実施例による屋根用板金役物に用いる積雪用換気カバーの施工方法を示す説明図
【図３】本実施例による積雪用換気カバー及び積雪用換気カバーを取り付ける屋根用板金役物の断面図
【図４】屋根用板金役物を急勾配の屋根頂部に設置した場合の構成を示す断面図
【図５】屋根用板金役物を建造物の下屋根頂部に設置した状態を示す断面図
【図６】屋根用板金役物を両流れ屋根頂部に設置した状態を示す断面図
【発明を実施するための形態】
【０００９】
本発明の第１の実施の形態による屋根用板金役物に用いる積雪用換気カバーは、天面板用開口部の上方を覆うカバー天面板材と、カバー天面板材の前端から下方へ垂下させたカバー前面板材と、カバー天面板材の後端から後方へ延出させたカバー後面板材とを有し、カバー前面板材の後方にカバー第１開口部が形成され、カバー後面板材にはカバー第２開口部を設け、カバー第１開口部及びカバー第２開口部は、カバー天面板材と天面板材との間に形成される通風路と連通するものである。本実施の形態によれば、カバー天面板材によって天面板用開口部を覆うことで雪が天面板用開口部から侵入することや、雪が天面板用開口部を覆ってしまうことを防止できる。また本実施の形態によれば、カバー第１開口部を形成するだけでなくカバー第２開口部を設けることで、積雪用換気カバーを設けない場合と同様に天面板用開口部の上方に空気の流れを発生させることができるので、空気の流れによって発生する負圧によって屋内からの排気を促すことができるとともに屋根用板金役物の水密性能の低下を防止できる。
【００１０】
本発明の第２の実施の形態は、第１の実施の形態による屋根用板金役物に用いる積雪用換気カバーにおいて、カバー天面板材の内面にカバー位置決め材を設け、カバー位置決め材をビス頭部に当接させることで施工時に屋根用板金役物への位置決めを行うものである。本実施の形態によれば、施工時に屋根用板金役物への位置決めを行えるため、積雪用換気カバーを適切な位置に取り付けることができる。
【００１１】
本発明の第３の実施の形態は、第２の実施の形態による屋根用板金役物に用いる積雪用換気カバーにおいて、カバー位置決め材が、カバー天面板材の内面から垂下させた一対の脚材と、一対の脚材を繋ぎ天面板材に当接する当接材と、当接材に形成した位置決め開口とを有し、位置決め開口にビス頭部を当接させて位置決めを行うものである。本実施の形態によれば、カバー天面板材上に積雪して積雪荷重がカバー天面板材に加わっても、一対の脚材と当接材とが支えとなり、通風路が閉塞されることがない。
【００１２】
本発明の第４の実施の形態は、第１から第３のいずれかの実施の形態による屋根用板金役物に用いる積雪用換気カバーにおいて、カバー天面板材の両側端から下方へ垂下させたカバー側面板材と、カバー側面板材の下端から側方へ延出させたカバー側方取付板材と、カバー後面板材の後端から後方へ延出させたカバー後方取付板材とを有し、カバー側方取付板材及びカバー後方取付板材にはカバー取付ビス孔が形成され、カバー取付ビス孔は、止水箱内に配置されるものである。本実施の形態によれば、カバー取付ビス孔を止水箱内に配置しているため、例えカバー取付ビス孔から雨水が侵入しても、侵入した雨水を止水箱で受けるため、屋内への雨水の浸入を確実に防ぐことができる。
【００１３】
本発明の第５の実施の形態は、第１から第４のいずれかの実施の形態による屋根用板金役物に用いる積雪用換気カバーであって、カバー後面板材の両側端の下方にカバー第３開口部を形成したものである。本実施の形態によれば、カバー第２開口部が積雪によって閉塞された場合でも、カバー第３開口部によって天面板用開口部の上方に空気の流れを発生させることができる。
【００１４】
本発明の第６の実施の形態は、第１から第５のいずれかの実施の形態による屋根用板金役物に用いる積雪用換気カバーであって、カバー後面板材が、カバー天面板材に対して９０度未満の傾斜角を有するものである。本実施の形態によれば、積雪用換気カバーの上方からの雨水を下方に流れやすくでき、積雪用換気カバー上への積雪を少なくできる。
【実施例】
【００１５】
以下本発明の一実施例による屋根用板金役物に用いる積雪用換気カバーについて説明する。
図１は本実施例による屋根用板金役物に用いる積雪用換気カバーの写真である。
図１（ａ）は同積雪用換気カバーの外面の写真、図１（ｂ）は同積雪用換気カバーの内面の写真である。
本実施例による屋根用板金役物２０（図２参照）に用いる積雪用換気カバー１０は、カバー天面板材１１と、カバー天面板材１１の前端から下方へ垂下させたカバー前面板材１２と、カバー天面板材１１の後端から後方へ延出させたカバー後面板材１３と、カバー天面板材１１の両側端から下方へ垂下させたカバー側面板材１４と、カバー側面板材１４の下端から側方へ延出させたカバー側方取付板材１５と、カバー後面板材１３の後端から後方へ延出させたカバー後方取付板材１６とを有している。
カバー後面板材１３にはカバー第２開口部１３ｘを設け、カバー側方取付板材１５及びカバー後方取付板材１６にはカバー取付ビス孔１５ａ、１６ａが形成されている。
カバー天面板材１１の内面には、カバー位置決め材１７を設けている。
カバー位置決め材１７は、カバー天面板材１１の内面から垂下させた一対の脚材１７ａと、一対の脚材１７ａを繋ぎ天面板材２１（図２参照）に当接する当接材１７ｂと、当接材１７ｂに形成した位置決め開口１７ｃとを有している。
このように、カバー位置決め材１７は、カバー天面板材１１の内面から垂下させた一対の脚材１７ａと、一対の脚材１７ａを繋ぎ天面板材２１（図２参照）に当接する当接材１７ｂとを有することで、カバー天面板材１１上に積雪して積雪荷重がカバー天面板材１１に加わっても、一対の脚材１７ａと当接材１７ｂとが支えとなり、カバー天面板材１１と天面板材２１との間に形成する通風路Ｘ（図３参照）が閉塞されることがない。
【００１６】
図２は本実施例による屋根用板金役物に用いる積雪用換気カバーの施工方法を示す説明図である。
図２（ａ）は屋根用板金役物への設置工程、図２（ｂ）は屋根用板金役物への留め付け工程を示している。
本実施例による屋根用板金役物２０は、建造物３０の屋根頂部に設置している。屋根用板金役物２０は、屋根面３１に配置される天面板材２１を有し、天面板材２１には、切り起こしにより天面板用開口部２２を形成している。
天面板材２１は、固定ビス２３によって屋根面３１に固定される。固定ビス２３のビス頭部２３ａは天面板材２１の上面に突出している。
図２（ａ）に示す屋根用板金役物２０への設置工程では、位置決め開口１７ｃ（図１（ｂ）参照）にビス頭部２３ａを当接させて、積雪用換気カバー１０の屋根用板金役物２０への位置決めを行う。
このように、カバー位置決め材１７をビス頭部２３ａに当接させることで施工時に屋根用板金役物２０への位置決めを行えるため、積雪用換気カバー１０を適切な位置に取り付けることができる。
図２（ａ）に示す屋根用板金役物２０への設置工程の後に、図２（ｂ）に示す屋根用板金役物２０への留め付け工程を行う。
図２（ｂ）に示す屋根用板金役物２０への留め付け工程では、カバー取付ビス孔１５ａ、１６ａにカバー固定ビス１８を留め付ける。
このように、積雪用換気カバー１０は、屋根用板金役物２０への設置工程と、屋根用板金役物２０への留め付け工程によって施工することができる。
なお、図２（ｂ）に示すように、カバー前面板材１２の後方にカバー第１開口部１２ｘが形成され、カバー後面板材１３の両側端の下方にカバー第３開口部１３ｙを形成している。
このように、カバー第１開口部１２ｘを形成するだけでなくカバー第２開口部１３ｘを設けることで、積雪用換気カバー１０を設けない場合と同様に天面板用開口部２２の上方に空気の流れを発生させることができるので、空気の流れによって発生する負圧によって屋内からの排気を促すことができる。また、カバー第２開口部１３ｘが積雪によって閉塞された場合でも、カバー第３開口部１３ｙによって天面板用開口部２２の上方に空気の流れを発生させることができる。
【００１７】
図３は本実施例による積雪用換気カバー及び積雪用換気カバーを取り付ける屋根用板金役物の断面図である。
屋根用板金役物２０は、建造物３０の屋根面３１に配置される天面板材２１と、建造物３０の壁面に配置される垂下板材２４ａと、垂下板材２４ａと平行に配置されて破風下地に固定される破風下地固定板材２４ｂと、垂下板材２４ａと破風下地固定板材２４ｂとを連接する連接板材２４ｃと、天面板材２１の下面に取り付ける止水箱２５とを備えている。
連接板材２４ｃの下方で、垂下板材２４ａと破風下地固定板材２４ｂとの間には、破風板のみこみ部Ａを形成している。
天面板材２１には、切り起こしにより天面板用開口部２２を形成している。
また、天面板材２１の一端には、天面板材用前面板材２６ａと、この天面板材用前面板材２６ａの端部から延出して折り曲げられた屋根面当接板材２６ｂを形成している。
垂下板材２４ａは、天面板材２１の他端に連接し、天面板材用前面板材２６ａと対向している。少なくとも、天面板材２１、垂下板材２４ａ、天面板材用前面板材２６ａ、及び屋根面当接板材２６ｂは、一枚の板材を折り曲げて形成されている。本実施形態においては、天面板材２１、垂下板材２４ａ、破風下地固定板材２４ｂ、連接板材２４ｃ、天面板材用前面板材２６ａ、及び屋根面当接板材２６ｂは、一枚の板材を折り曲げて形成されている。
天面板用開口部２２は、下向きランスによる切り起こしが好ましいが、ブリッジによる切り起こしでもよい。
【００１８】
止水箱２５は、天面板用開口部２２の下方に配置される底面板材２５ａと、底面板材２５ａの一端に立設される前面板材２５ｂと、底面板材２５ａの他端に立設される後面板材２５ｃと、前面板材２５ｂの端部と後面板材２５ｃの端部とを連接する側面板材２５ｄとで構成している。
前面板材２５ｂには、天面板用開口部２２から進入して底面板材２５ａに溜まった雨水を流出させる通水孔（図示せず）を形成している。
後面板材２５ｃには、止水箱用開口部２５ｘを形成している。
屋根用板金役物２０は、天面板用開口部２２と止水箱用開口部２５ｘとで、建造物３０の屋内と屋外との通気を行う。
固定ビス２３は、天面板材２１の上面から止水箱２５を貫通して建造物３０に挿入し、天面板材２１及び止水箱２５を屋根面３１に固定する。固定ビス２３は、止水箱２５内に配置される。
【００１９】
カバー天面板材１１は、天面板用開口部２２の上方を覆う。
本実施例によれば、カバー天面板材１１によって天面板用開口部２２を覆うことで雪が天面板用開口部２２から侵入することや、雪が天面板用開口部２２を覆ってしまうことを防止できる。
カバー第１開口部１２ｘ及びカバー第２開口部１３ｘは、カバー天面板材１１と天面板材２１との間に形成される通風路Ｘと連通する。
また本実施例によれば、カバー第１開口部１２ｘ及びカバー第２開口部１３ｘを設けることで、積雪用換気カバー１０を設けない場合と同様に天面板用開口部２２の上方、すなわち通風路Ｘに空気の流れを発生させることができるので、空気の流れによって発生する負圧によって屋内からの排気を促すことができるとともに屋根用板金役物２０の水密性能の低下を防止できる。
【００２０】
カバー取付ビス孔１５ａ、１６ａは、止水箱２５内に配置される。このように、カバー取付ビス孔１５ａ、１６ａを止水箱２５内に配置することで、例えカバー取付ビス孔１５ａ、１６ａから雨水が侵入しても、侵入した雨水を止水箱２５で受けるため、屋内への雨水の浸入を確実に防ぐことができる。
カバー後面板材１３は、カバー天面板材１１に対して９０度未満の傾斜角αを有する。このように、カバー後面板材１３をカバー天面板材１１に対して９０度未満の傾斜角αを持つことで、積雪用換気カバー１０の上方からの雨水を下方に流れやすくでき、積雪用換気カバー１０上への積雪を少なくできる。
【００２１】
図４は、屋根用板金役物を急勾配の屋根頂部に設置した場合の構成を示す断面図である。なお、上記実施例と同一部材には同一の符号を付けて説明を省略する。
本実施例による積雪用換気カバー１０は、屋根用板金役物２０を９寸勾配以上２５９寸勾配以下の急勾配の屋根頂部に設置した場合にも用いることができる。
このように急勾配の屋根頂部に屋根用板金役物２０を設置した場合には、屋根用板金役物２０は、横風に対する水密性能が低下し雨水が浸入し易くなるが、積雪用換気カバー１０によって水密性能を高めることができる。
【００２２】
図５は、屋根用板金役物を建造物の下屋根頂部に設置した状態を示す断面図である。なお、上記実施例と同一部材には同一の符号を付けて説明を省略する。
本実施例では、垂下部材２４ａを上方に折り曲げて外壁下地材の外表面に配置する。垂下部材２４ａの外表面には、屋根下葺材や外装材が配置される。
本実施例による積雪用換気カバー１０は、下屋根頂部に屋根用板金役物２０を設けた場合にも用いることができる。
【００２３】
図６は、屋根用板金役物を両流れ屋根頂部に設置した状態を示す断面図である。なお、上記実施例と同一部材には同一の符号を付けて説明を省略する。
本実施例による積雪用換気カバー１０は、両流れ屋根頂部に屋根用板金役物２０を設けた場合にも用いることができる。
【産業上の利用可能性】
【００２４】
本発明は、積雪地域で用いる屋根用板金役物に適している。
【符号の説明】
【００２５】
１０  積雪用換気カバー
１１  カバー天面板材
１２  カバー前面板材
１２ｘ  カバー第１開口部
１３  カバー後面板材
１３ｘ  カバー第２開口部
１３ｙ  カバー第３開口部
１４  カバー側面板材
１５  カバー側方取付板材
１６  カバー後方取付板材
１５ａ、１６ａ  カバー取付ビス孔
１７  カバー位置決め材
１７ａ  脚材
１７ｂ  当接材
１７ｃ  位置決め開口
１８  カバー固定ビス
２０  屋根用板金役物
２１  天面板材
２２  天面板用開口部
２３  固定ビス
２３ａ  ビス頭部
２４ａ  垂下板材
２４ｂ  破風下地固定板材
２４ｃ  連接板材
２５  止水箱
２５ａ  底面板材
２５ｂ  前面板材
２５ｃ  後面板材
２５ｘ  止水箱用開口部
２６ａ  天面板材用前面板材
２６ｂ  屋根面当接板材
３０  建造物
３１  屋根面
Ａ  破風板のみこみ部
Ｘ  通風路
α  傾斜角
【図１】
2019044345.tif 000003
【図２】
2019044345.tif 000004
【図３】
2019044345.tif 000005
【図４】
2019044345.tif 000006
【図５】
2019044345.tif 000007
【図６】
2019044345.tif 000008